(57)【要約】【課題】コストの低い複数表示面を有する電子機器、これに組み込まれる電気光学パネル及び電気光学装置、並びに電気光学装置の製造方法を提供する。【解決手段】信号線２４及び走査線２３を有する第１液晶パネル２０と、信号線２４と電気的に接続する信号線３４と走査線３３を有する第２液晶パネル３０と、走査線２３に信号を供給する第１走査線駆動回路８０と、走査線３３に信号を供給する第２走査線駆動回路８４と、信号線２４及び信号線３４に信号を供給する信号線駆動回路８１と、第１走査線駆動回路８０に対して電圧を供給する第１電源回路８２と、第２走査線駆動回路８４に対して電圧を供給する第２電源回路８５とを具備する。【選択図】    図５
2004264516.tif 000002
【特許請求の範囲】
【請求項１】
第１配線及び第２配線を有する第１電気光学パネルの前記第１配線に電気的に接続する第３配線と第４配線を有する第２電気光学パネルであって、
第１電源回路から電圧が供給される第１駆動回路から前記第２配線に
信号が供給され、第２電源回路から電圧が供給される第２駆動回路から前記第４配線に信号が供給され、前記第１配線及び該第１配線を介して第３駆動回路から前記第３配線に信号が供給されることを特徴とする電気光学パネル。
【請求項２】
第３配線及び第４配線を有する第２電気光学パネルの前記第３配線に電気的に接続する第１配線と第２配線を有する第１電気光学パネルであって、
第１電源回路から電圧が供給される第１駆動回路から前記第２配線に信号が
供給され、第２電源回路から電圧が供給される第２駆動回路から前記第４配線に信号が供給され、第３駆動回路から前記第１配線及び前記第３配線に信号が供給されることを特徴とする電気光学パネル。
【請求項３】
前記第１配線及び前記第３配線は信号線であり、前記第２配線及び前記第４配線は走査線であることを特徴とする請求項１または請求項２記載の電気光学パネル。
【請求項４】
第１配線及び第２配線を有する第１電気光学パネルと、
前記第１配線と電気的に接続する第３配線と、第４配線を有する第２電気光学パネルと、
前記第２配線に信号を供給する第１駆動回路と、
前記第４配線に信号を供給する第２駆動回路と、
前記第１配線及び前記第３配線に信号を供給する第３駆動回路と、
前記第１駆動回路に対して電圧を供給する第１電源回路と、
前記第２駆動回路に対して電圧を供給する第２電源回路と
を具備することを特徴とする電気光学装置。
【請求項５】
前記第１電源回路及び前記第２電源回路は、これらから出力される電圧の値を可変可能に設計されていることを特徴とする請求項４記載の電気光学装置。
【請求項６】
前記第１配線及び前記第３配線は信号線であり、前記第２配線及び前記第４配線は走査線であることを特徴とする請求項４または請求項５記載の電気光学装置。
【請求項７】
第１配線及び第２配線を有する第１電気光学パネルと、
前記第１配線と電気的に接続する第３配線と第４配線を有する第２電気光学パネルと、前記第２配線に信号を供給する第１駆動回路と、前記第４配線に信号を供給する第２駆動回路と、前記第１配線及び該第１配線を介して前記第３配線に信号を供給する第３駆動回路と、前記第１駆動回路に対して電圧を供給する第１電源回路と、前記第２駆動回路に対して電圧を供給する第２電源回路とを具備する電気光学装置の製造方法であって、
前記第１電気光学パネルを駆動電圧を変えて駆動させて前記第１電気光学パネルの表示コントラストを測定する工程と、
前記表示コントラストが所定のコントラストとなったときの駆動電圧が前記第１駆動回路に対して供給されるように前記第１電源回路の出力電圧を設定する工程と
を有することを特徴とする電気光学装置の製造方法。
【請求項８】
第１配線及び第２配線を有する第１電気光学パネルと、
前記第１配線と電気的に接続する第３配線と、第４配線を有する第２電気光学パネルと、前記第２配線に信号を供給する第１駆動回路と、前記第４配線に信号を供給する第２駆動回路と、前記第１配線及び該第１配線を介して前記第３配線に信号を供給する第３駆動回路と、前記第１駆動回路に対して電圧を供給する第１電源回路と、前記第２駆動回路に対して電源を供給する第２電源回路とを具備する電気光学装置の製造方法であって、
前記第２電気光学パネルを駆動電圧を変えて駆動させて前記第２電気光学パネルの表示コントラストを測定する工程と、
前記表示コントラストが所定のコントラストとなったときの駆動電圧が前記第２駆動回路に対して供給されるように前記第２電源回路の出力電圧を設定する工程と
を有することを特徴とする電気光学装置の製造方法。
【請求項９】
請求項４または請求項５記載の電気光学装置あるいは請求項６から請求項８いずれか一項に記載の電気光学層の製造方法により製造された電気光学装置が搭載されていることを特徴とする電子機器。
【発明の詳細な説明】
【０００１】
【発明の属する技術分野】
本発明は、複数表示面を有する電子機器に組み込まれる電気光学パネル、電気光学装置及び電気光学装置の製造方法、この電気光学装置を用いて構成される電子機器に関する。
【０００２】
【従来の技術】
例えば電子機器として携帯電話機を考えた場合、折り畳み構造の携帯電話機が知られている。このような携帯電話機では、操作機能及び送話口を有するボディと、ディスプレイ機能及び受話口を有するボディとがヒンジによって接続されている。そして、ヒンジを中心として２つのボディが形成する角度を変えることができる。
【０００３】
この携帯電話機では、２つのボディを開いた状態では、ディスプレイ表示を観察することができ、さらに、電話機として使用することができる。また、ボディを折り畳むことにより、電話未使用時に携帯し易いようにコンパクトな形状にすることができる。さらに最近では、携帯電話機を折り畳んだ状態で着信相手やメールの受信や時刻等を確認できるようにするために、携帯電話機を開いた状態で観察可能なメインディスプレイの他に、着信相手等を表示するためのサブディスプレイを搭載する構造の携帯電話機、いわゆるダブルディスプレイ構造の携帯電話機が注目されている。
【０００４】
従来、このようなダブルディスプレイ構造の携帯電話機では、メインディスプレイとサブディスプレイとが異なる駆動回路によって駆動されて表示を行うようになっていた（例えば、特許文献１参照）。
【０００５】
【特許文献１】
特開２００１−４２２８４号（第２頁、
【図４】）。
【０００６】
【発明が解決しようとする課題】
しかしながら、上記のようにメインディスプレイとサブディスプレイとを別々の駆動回路で駆動する場合は、それぞれのディスプレイ毎に駆動回路が必要となるためコストがかかるという問題があった。
【０００７】
本発明は、上記の問題点に鑑みて成されたものであって、製造コストを低く抑えた複数の表示面を表示する電子機器、これに用いられる電気光学パネル及び電気光学装置、並びに電気光学装置の製造方法を提供することを目的とする。
【０００８】
【課題を解決するための手段】
本発明の電気光学パネルは、第１配線及び第２配線を有する第１電気光学パネルの前記第１配線に電気的に接続する第３配線と第４配線を有する第２電気光学パネルであって、第１電源回路から電圧が供給される第１駆動回路から前記第２配線に信号が供給され、第２電源回路から電圧が供給される第２駆動回路から前記第４配線に信号が供給され、前記第１配線及び該第１配線を介して第３駆動回路から前記第３配線に信号が供給されることを特徴とする。
【０００９】
本発明のこのような構成の電気光学パネル（第２電気光学パネル）を用いることにより、他の電気光学パネル（第１電気光学パネル）と駆動回路の一部を共有することができる。従って、このような構成の電気光学パネルと他の電気光学パネルとを組み合わせた場合、電気光学パネル毎に別々に駆動回路を設ける場合と比較して、コストを削減することができる。更に、本発明の電気光学パネルにおいては、一部の駆動回路（第３駆動回路）を他の電気光学パネルと共有し、他の回路（第１駆動回路、第１電源回路）については他の電気光学パネルとは独立して設けられるので、他の電気光学パネルの回路（第２駆動回路、第２電源回路）とは独立して第４配線に供給される電圧の電圧レベル調整を行うことができる。このような構成の電気光学パネルと他の電気光学パネルとを組み合わせた場合、通常、電気光学パネル毎に表示に最適な電圧レベルが異なってくるため、上述のような各電気光学パネル毎に電圧レベル調整可能な構成とすることによって、いずれの表示面も表示品位が高い電気光学パネルを得ることができる。
【００１０】
本発明の他の電気光学パネルは、第３配線及び第４配線を有する第２電気光学パネルの前記第３配線に電気的に接続する第１配線と第２配線を有する第１電気光学パネルであって、第１電源回路から電圧が供給される第１駆動回路から前記第２配線に信号が供給され、第２電源回路から電圧が供給される第２駆動回路から前記第４配線に信号が供給され、第３駆動回路から前記第１配線及び前記第３配線に信号が供給されることを特徴とする。
【００１１】
本発明のこのような構成の電気光学パネル（第１電気光学パネル）を用いることにより、他の電気光学パネル（第２電気光学パネル）と駆動回路の一部を共有することができる。従って、このような構成の電気光学パネルと他の電気光学パネルとを組み合わせた場合、電気光学パネル毎に別々に駆動回路を設ける場合と比較して、コストを削減することができる。更に、本発明の電気光学パネルにおいては、一部の駆動回路（第３駆動回路）を他の電気光学パネルと共有し、他の回路（第２駆動回路、第２電源回路）については他の電気光学パネルの回路（第１駆動回路、第１電源回路）とは独立して設けられるので、他の電気光学パネルとは独立して第２配線に供給する電圧の電圧レベル調整を行うことができる。このような構成の電気光学パネルと他の電気光学パネルとを組み合わせた場合、通常、電気光学パネル毎に表示に最適な電圧レベルが異なってくるため、上述のように各電気光学パネル毎に電圧レベル調整可能な構成とすることによって、いずれの表示面も表示品位が高い電気光学パネルを得ることができる。
【００１２】
また、前記第１配線及び前記第３配線は信号線であり、前記第２配線及び前記第４配線は走査線であることを特徴とする。
【００１３】
このように、１つの第３駆動回路から供給される画像信号が印加される信号線を共有することができる。
【００１４】
本発明の電気光学装置は、第１配線及び第２配線を有する第１電気光学パネルと、前記第１配線と電気的に接続する第３配線と、第４配線を有する第２電気光学パネルと、前記第２配線に信号を供給する第１駆動回路と、前記第４配線に信号を供給する第２駆動回路と、前記第１配線及び前記第３配線に信号を供給する第３駆動回路と、前記第１駆動回路に対して電圧を供給する第１電源回路と、前記第２駆動回路に対して電圧を供給する第２電源回路とを具備することを特徴とする。
【００１５】
本発明のこのような構成によれば、第１電気光学パネルと第２電気光学パネルとは駆動回路の一部を共有することができる。従って、電気光学パネル毎に別々に駆動回路を設ける場合と比較して、コストを削減することができる。更に、一部の駆動回路（第３駆動回路）を共有し、他の回路（第１駆動回路、第２駆動回路、第１電源回路、第２電源回路）は電気光学パネル毎に設けているので、第２配線及び第４配線それぞれに供給する電圧の電圧レベルの調整を個別に行うことができる。通常、電気光学パネル毎に表示に最適な電圧レベルが異なってくるため、上述のように各電気光学パネル毎に電圧レベル調整可能な構成とすることによって、いずれの表示面も表示品位が高い電気光学パネルを備えた電気光学装置を得ることができる。
【００１６】
また、前記第１電源回路及び前記第２電源回路は、これらから出力される電圧の値を可変可能に設計されていることを特徴とする。
【００１７】
このような構成によれば、各電気光学パネルに最適な電圧レベルの電圧を供給することができる。
【００１８】
また、前記第１配線及び前記第３配線は信号線であり、前記第２配線及び前記第４配線は走査線であることを特徴とする。
【００１９】
このように、１つの第３駆動回路から供給される画像信号が印加される信号線を共有することができる。
【００２０】
本発明の電気光学装置の製造方法は、第１配線及び第２配線を有する第１電気光学パネルと、前記第１配線と電気的に接続する第３配線と第４配線を有する第２電気光学パネルと、前記第２配線に信号を供給する第１駆動回路と、前記第４配線に信号を供給する第２駆動回路と、前記第１配線及び該第１配線を介して前記第３配線に信号を供給する第３駆動回路と、前記第１駆動回路に対して電圧を供給する第１電源回路と、前記第２駆動回路に対して電圧を供給する第２電源回路とを具備する電気光学装置の製造方法であって、前記第１電気光学パネルを駆動電圧を変えて駆動させて前記第１電気光学パネルの表示コントラストを測定する工程と、前記表示コントラストが所定のコントラストとなったときの駆動電圧が前記第１駆動回路に対して供給されるように前記第１電源回路の出力電圧を設定する工程とを有することを特徴とする。
【００２１】
本発明のこのような構成によれば、一部の駆動回路（第３駆動回路）を共有し、他の回路（第１駆動回路、第２駆動回路、第１電源回路、第２電源回路）は電気光学パネル毎に設けているので、第１電気光学パネルの第２配線に供給する電圧の電圧レベルの調整を、第２電気光学パネルの第４配線に供給する電圧の電圧レベルに関係なく行うことができる。通常、電気光学パネル毎に表示に最適な電圧レベルが異なってくるため、上述のように各電気光学パネル毎に電圧レベル調整可能な構成とすることによって、いずれの表示面も表示品位が高い電気光学パネルを備えた電気光学装置を得ることができる。
【００２２】
本発明の他の電気光学装置の製造方法は、第１配線及び第２配線を有する第１電気光学パネルと、前記第１配線と電気的に接続する第３配線と、第４配線を有する第２電気光学パネルと、前記第２配線に信号を供給する第１駆動回路と、前記第４配線に信号を供給する第２駆動回路と、前記第１配線及び該第１配線を介して前記第３配線に信号を供給する第３駆動回路と、前記第１駆動回路に対して電圧を供給する第１電源回路と、前記第２駆動回路に対して電源を供給する第２電源回路とを具備する電気光学装置の製造方法であって、前記第２電気光学パネルを駆動電圧を変えて駆動させて前記第２電気光学パネルの表示コントラストを測定する工程と、前記表示コントラストが所定のコントラストとなったときの駆動電圧が前記第２駆動回路に対して供給されるように前記第２電源回路の出力電圧を設定する工程とを有することを特徴とする。
【００２３】
本発明のこのような構成によれば、一部の駆動回路（第３駆動回路）を共有し、他の回路（第１駆動回路、第２駆動回路、第１電源回路、第２電源回路）は電気光学パネル毎に設けているので、第２電気光学パネルの第４配線に供給する電圧の電圧レベルの調整を、第１２電気光学パネルの第２配線に供給する電圧の電圧レベルに関係なく行うことができる。通常、電気光学パネル毎に表示に最適な電圧レベルが異なってくるため、上述のように各電気光学パネル毎に電圧レベル調整可能な構成とすることによって、いずれの表示面も表示品位が高い電気光学パネルを備えた電気光学装置を得ることができる。
【００２４】
本発明の電子機器は、上述に記載の電気光学装置あるいは上述に記載の電気光学層の製造方法により製造された電気光学装置が搭載されていることを特徴とする。
【００２５】
本発明のこのような構成によれば、コストが低く、表示品位の高いパネルを備えた電子機器を得ることができる。
【００２６】
【発明の実施の形態】
（電子機器）
以下、本発明に係る電子機器の一実施形態を、折り畳み構造の携帯電話機を例に挙げて説明する。図１は、その携帯電話機の斜視図であり、特に、図１（ａ）はその携帯電話機を開いた状態を示し、図１（ｂ）はその携帯電話機を折り畳んで閉じた状態を示している。また、図２は、携帯電話機のディスプレイが搭載された第１ボディの一部分を分解状態で示す斜視図である。
【００２７】
この携帯電話機５０は第１ボディ５１と第２ボディ５２とを有し、これらのボディはヒンジ５３によって互いに回り移動可能に接続されている。第１ボディ５１には、受話口５６及びアンテナ５７が設けられる。また、第２ボディ５２には、複数の操作キー５９及び送話口６１が設けられる。また、図１（ａ）に示すように第１ボディ５１の内面にはメインディスプレイ５４が設けられ、さらに第１ボディ５１の外面には図１（ｂ）に示すようにサブディスプレイ５８が設けられる。
【００２８】
２つのボディ５１及び５２は、ヒンジ５３を中心として角度を変えることができる。図１（ａ）のように、第１ボディ５１と第２ボディ５２とを開いた状態にすると、メインディスプレイ５４の表示を観察でき、また、電話機として使用できる。
【００２９】
また、電話機未使用時には、図１（ｂ）のように、第１ボディ５１と第２ボディ５２とを折り畳んで携帯し易いコンパクトな形状にすることができる。さらに、携帯電話機を折り畳んだ状態で、第１ボディ５１に搭載されたサブディスプレイ５８により、着信相手や、メールの受信や、時刻等を確認することができる。
【００３０】
第１ボディ５１は、図２に示すように、上部ケース５１ａ、下部ケース５１ｂ及びこれらのケースによって保持される電気光学装置としての液晶装置１０を有する。ここでは詳細な構造については図示を省略するが、液晶装置１０は、互いに対向する第１面１０ａ及び第２面１０ｂを有しており、第１面１０ａにはメインディスプレイ５４（図１参照）の表示面が位置し、第２面１０ｂにはサブディスプレイ５８（図１参照）の表示面が位置する。上部ケース５１ａには、メインディスプレイ５４の表示面が視認可能となるように第１孔部６２が設けられる。一方、下部ケース５１ｂには、サブディスプレイ５８の表示面が視認可能となるように第２孔部６３が設けられる。
【００３１】
（電気光学パネル、電気光学装置及び電気光学装置の製造方法）
次に、本発明に係る上述の液晶装置１０及びこの製造方法、並びに液晶装置１０に組み込まれる本発明に係る電気光学パネルの一実施形態である液晶パネルについて、図３から図５を用いて説明する。
【００３２】
図３は、液晶装置１０の概略斜視図である。図４は図３の線Ａ−Ａ´で切断した概略断面図である。図５は液晶装置１０の等価回路図である。図３及び図４は液晶装置１０を電子機器に搭載された状態の図であり、２つの液晶パネル２０及び３０は互いの表示面と対向する面同士が隣り合うように配置されている。尚、図３においては、図面を見やすくするためにバックライトの図示を省略している。図５は、２つの液晶パネル２０及び３０を同一平面上に配置した状態の平面図となっている。尚、ここでは液晶装置１０を保持する筐体の図示は省略しているが、実際には図３に示す液晶装置１０は筐体によって保持された状態で携帯電話機に搭載される。また、各図において説明をわかりやすくするために配線の数などを少なく図示している。
【００３３】
図３〜図５において、液晶装置１０は、メインディスプレイとなる第１電気光学パネルとしての第１液晶パネル２０、サブディスプレイとなる第２電気光学パネルとしての第２液晶パネル３０、第１液晶パネル２０と第２液晶パネル３０とを電気的に接続するフレキシブルな第１配線基板４０及び第２配線基板７０を有する。第１液晶パネル２０は透過型のＴＦＤ素子を有するアクティブマトリクス型のカラー表示の液晶パネル、第２液晶パネル３０は半透過半反射型のＴＦＤ素子を有するアクティブマトリクス型のカラー表示の液晶パネルである。液晶装置１０においては、第１駆動回路としての第１走査線駆動回路８０、第２駆動回路としての第２走査線駆動回路８４、第３駆動回路としての信号線駆動回路８１、第１電源回路８２、第２電源回路８５及び制御回路８３が設けられている。第１走査線駆動回路８０は、第１液晶パネル２０の走査線２３に対して走査信号を供給するものであり、第２走査線駆動回路８４は、第２液晶パネル３０の走査線３３に対して走査信号を供給するものである。信号線駆動回路８１は、第１液晶パネル２０及び第２液晶パネル４０に画像信号を供給するものである。第１電源回路８２は、外部から供給される基準電圧に基づいて、第１液晶パネル２０及び第２液晶パネル３０の各信号線、第１液晶パネル２０の走査線を駆動する際に必要な電圧レベルを有する電圧を生成する。この電圧は信号線駆動回路８１及び第１走査線駆動回路８０に供給される。第２電源回路８５は、外部から供給される基準電圧に基づいて、第２液晶パネル３０の走査線を駆動する際に必要な電圧レベルを有する電圧を生成し、この電圧は第２走査線駆動回路８４に供給される。制御回路としてのコントローラ８３は中央処理装置（Ｃｅｎｔｒａｌ  Ｐｒｏｃｅｓｓｉｎｇ  Ｕｎｉｔ：ＣＰＵ）などのホストを有し、これにより設定された内容に従って、信号線駆動回路８１、第１走査線駆動回路８０及び第２走査線駆動回路８４を制御する。より具体的には、コントローラ８３は、信号線駆動回路８１及び走査線駆動回路８０及び８４に対して、内部で生成した垂直同期信号や水平同期信号の供給を行う。
【００３４】
第１液晶パネル２０は、ガラスなどの透明基板からなる第１基板２２及び第２基板２１と、これら２枚の基板を貼りあわす液晶注入口（図示せず）を有する矩形状のシール材１４と、２枚の基板２２及び２１とシール材１４とにより囲まれた領域に挟持されたＴＮ（ツステッドネマティック）液晶層４と、液晶注入口に設けられた封止材（図示せず）と、２枚の基板を挟み込むように配置された一対の偏光板８を有する。液晶装置１０において、第１液晶パネル２０の第１基板２２側には、導光板６と光源５を有するバックライト７が配置されており、第１液晶パネル２０においてはバックライト７から照射される光を用いて表示が行われる。なお、ここでは図示していないが、バックライト７の導光板６と第１液晶パネル２０との間には、プリズムシート等といった光学シートを必要に応じて配置することができる。第１基板２２及び第２基板２１はそれぞれ矩形状を有し、第１基板２２は対向する辺において第２基板２１から張り出した張り出し部２２ａ及び２２ｂを有している。第１基板２２の液晶層４側の面上には、複数のストライプ状の第１配線としての信号線２４、信号線２４に電気的に接続したＴＦＤ素子２５及び各ＴＦＤ素子２５に電気的に接続した画素電極（図示せず）が配置されている。第１基板２２上には後述する第２配線としての走査線２３と電気的に接続する引き回し配線２６が配置されている。第１基板２２の張り出し部２２ａには信号線２４が延在してなる引出し線２８、引き回し配線２６の一部、端子部２９及び７２が配置され、端子部２９及び７２は第１配線基板７０と電気的に接続している。第１基板２２の張り出し部２２ａ上には信号線駆動回路８１及び第１走査線駆動回路８０が実装されている。信号線駆動回路８１は端子部２９及び引出し線２８と電気的に接続し、第１走査線駆動回路８０は端子部７２及び引き回し配線２６と電気的に接続している。第１基板２２の張り出し部２２ｂには信号線２４が延在してなる引出し線２７が配置され、この引出し線２７は第２配線基板４０と電気的に接続している。一方、第２基板２１上には、Ｒ（赤），Ｇ（緑）、Ｂ（青）からなるストライプ状の着色層１２及び各画素を区画する遮光層１５、これら着色層１２及び遮光層１５を覆う保護膜１３、そしてストライプ状の複数の走査線２３が順に配置されている。走査線２３と引き回し配線２６とは２枚の基板２１及び２２間に設けられた導通材７３によって電気的に接続されている。この導通材７３は例えばシール材１４中に配置される。第１液晶パネル２０においては、走査線２３と画素電極との交差領域の液晶を駆動することにより、図５における一点鎖線で囲まれた表示領域９０で表示が行われる。
【００３５】
第２液晶パネル３０は、ガラスなどの透明基板からなる第３基板３１及び第４基板３２と、これら２枚の基板を貼りあわす液晶注入口（図示せず）を有する矩形状のシール材１４と、２枚の基板３２及び３１とシール材１４とにより囲まれた領域に挟持されたＴＮ（ツステッドネマティック）液晶層４´と、液晶注入口に設けられた封止材（図示せず）と、２枚の基板を挟み込むように配置された一対の偏光板８を有する。液晶装置１０において、第２液晶パネル２０の第３基板３１側には、導光板６と光源５を有するバックライト７が配置されている。なお、ここでは図示していないが、バックライト７の導光板６と第２液晶パネル３０との間には、プリズムシート等といった光学シートを必要に応じて配置することができる。液晶注入口には封止材（図示せず）が設けられている。第３基板３１及び第４基板３２はそれぞれ矩形状を有し、第４基板３２は第３基板３１から張り出した張り出し部３２ａを有している。第４基板３２の液晶層４側の面上には、複数のストライプ状の第３配線としての信号線３４、信号線３４に電気的に接続したＴＦＤ素子３５及び各ＴＦＤ素子２５に電気的に接続した画素電極（図示せず）が配置されている。第４基板３２上には後述する第４配線としての走査線３３と電気的に接続する第２接続用配線としての引き回し配線３６が配置されている。第４基板３２の張り出し部３２ａには信号線３４が延在してなる引出し線３８、端子部３７が配置されている。引出し線３８は第２配線基板４０と接続し、信号線３４には信号線駆動回路８１から引出し線２８、走査線２４、引出し線２７、配線基板４０上の配線及び引出し線３８を介して画像信号が供給される。端子部３７は第１配線基板７０と電気的に接続している。第４基板３２上には第２走査線駆動回路８４が実装されており、第２走査線駆動回路８４は端子部３７及び引き回し配線３６と電気的に接続している。一方、第３板３１上には、開口部１１ａを有する反射膜１１上にＲ（赤），Ｇ（緑）、Ｂ（青）からなる着色層１２及び各画素を区画する遮光層１５、これら着色層１２及び遮光層１５を覆う樹脂からなる保護膜１３、ＩＴＯなどの透明導電部材からなる信号線３４と直交する複数のストライプ状の走査線３３が順に配置されている。反射膜１１は、表面に凹凸を有する樹脂層１１ｂ及びこの樹脂層１１ｂ表面を覆うアルミニウムなどからなる反射部材１１ｃが積層されてなり、開口部１１ａは各画素毎に１つづつ反射部材１１ｃに設けられている。走査線３３と引き回し配線３６とは２枚の基板３１及び３２間に設けられた導通材３９によって電気的に接続されている。この導通材３９は例えばシール材１４中に配置される。第２液晶パネル３０においては、走査線３３と画素電極との交差領域の液晶を駆動することにより、図５における一点鎖線で囲まれた表示領域９１で表示が行われる。ここでは、第２液晶パネル３０を透過型液晶パネルとして用いる場合にはバックライト７から第２液晶パネル３０に向かって照射された光が表示に用いられる。すなわち、バックライト７から照射された光は、反射膜１１の開口部１１ａを通過し、液晶層４´を通って第２液晶パネル２０の外部に出射される。一方、第２液晶パネル３��を半透過半反射型液晶パネルとして用いる場合には、第２液晶パネルに３０に入射した外光を用いて表示が行われる。すなわち、第２液晶パネル３０に入射した外光は、液晶層４´を通過して反射膜１１にて反射し、この反射光が再び液晶層４´を通って第２液晶パネル３０の外部に出射される。
【００３６】
尚、本実施形態においては、液晶層４及び４´を配向するための配向膜の図示を省略しているが、実際には、各基板２１，２２，３１，３２上に形成される信号線や走査線といった素子を覆い、かつ液晶層４及び４´に接するように配向膜が設けられている。
【００３７】
液晶装置１０において、第１液晶パネル２０及び第２液晶パネル３０は、それぞれの表示面１０ａ及び１０ｂと対向する面同士が隣り合うように、言い換えると第１基板２２と第３基板３１とが隣合うように配置されている。
【００３８】
第１配線基板７０は、フレキシブル基材７１と、フレキシブル基材７１上に実装された第１電源回路８２、第２電源回路８５及び制御回路８２と、フレキシブル基材７１上に形成された各回路及び液晶パネルを電気的に接続する配線（図示せず）を有している。図３に示すように、第１配線基板７０は、その一端部が第１液晶パネル２０の張り出し部２２ａに接続し、折り曲げられ、第１液晶パネル２０と第２液晶パネル３０との間を通って、他端部が第２液晶パネル３０の張り出し部３２ａに接続するように配置される。
【００３９】
第２配線基板４０は、フレキシブル基材４２とフレキシブル基材４２上に配置された配線４１を有している。この第２配線基板４０により第１液晶パネル２０の引出し線２７と第２液晶パネル３０の引出し線３８とが電気的に接続される。これにより第２液晶パネル３０の信号線３４には、第１液晶パネル２０上に実装される信号線駆動回路８１から引出し線２８、信号線２４、配線４１及び引出し線３８を介して画像信号が供給される。言い換えると、第１液晶パネル２０と第２液晶パネル３０は、１つの信号線駆動回路８１から供給される画像信号が印加される配線を共有する。
【００４０】
次に、上述の液晶装置１０の駆動時の動作の説明とともに液晶装置１０の製造方法について図６〜図８を用いて説明する。
【００４１】
図６は、液晶装置１０を駆動する時の動作及び駆動電圧設定工程時における動作を示す図である。図７は、液晶装置１０の一部である第１液晶パネル２０の電圧レベルを調整する際に行われる表示コントラスト測定の様子を示す概略斜視図である。図８は、液晶装置１０の一部である第２液晶パネル３０の電圧レベルを調整する際に行われる表示コントラスト測定の様子を示す概略斜視図である。
【００４２】
まず初めに液晶装置１０の駆動時の動作について図６を用いて説明する。図６において液晶装置１０の駆動時の動作は中が白抜きとなっている矢印により示される。本実施形態においては、２つの異なる液晶パネル２０及び３０は、信号線駆動回路８１を共有している。一方、走査線駆動回路８０及び８４、電源回路８２及び８５は、各液晶パネル２０および３０毎に設けられている。液晶装置１０では、図５において、第２液晶パネル３０の走査線３３ａ、３３ｂ、３３ｃ、第１液晶パネル２０の走査線２３ａ、２３ｂ、２３ｃ、２３ｄ、２３ｅが順に走査するように設定されている。
【００４３】
コントローラ８３は、信号線駆動回路８１に対して、一水平走査単位の画像信号、水平同期信号を供給する。また、コントローラ８３は、第１走査線駆動回路８０、第２走査線駆動回路８４に対して垂直同期信号を供給する。この垂直同期信号は信号線駆動回路８１を介して各走査線駆動回路８０及び８４に供給され、第２液晶パネル３０の走査線３３ａ、３３ｂ、３３ｃ、第１液晶パネル２０の走査線２３ａ、２３ｂ、２３ｃ、２３ｄ、２３ｅが順に走査するように設定されている。
【００４４】
第１電源回路８２は、外部から供給される基準電圧に基づいて、第２液晶パネル３０の信号線３４及び第１液晶パネルの信号線２４に対して供給する電圧の電圧レベル、第１液晶パネル２０の走査線２３に供給される電圧の電圧レベルを生成する。この生成された各種電圧は信号線駆動回路８１及び第１走査線駆動回路８０に供給される。第２電源回路８５は、外部から供給される基準電圧に基づいて、第２液晶パネル３０の走査線３３に供給される電圧の電圧レベルを生成する。この生成された電圧は第２走査線駆動回路８４に供給される。
【００４５】
これにより、信号線駆動回路８１は、供給された電圧で、水平同期信号に同期して一水平走査単位の画像信号に基づいて信号線３４及び２４の駆動を行う。第１走査線駆動回路８０及び第２走査線駆動回路８４は、それぞれに供給された電圧で、垂直同期信号に基づいて走査線３３及び２３をそれぞれ走査駆動する。  次に、液晶装置１０の製造方法について説明する。まず第１液晶パネル２０及び第２液晶パネル３０を既知の方法で製造する。その後、第１液晶パネル２０においては信号線駆動回路８１及び第１走査線駆動回路８０を、第２液晶パネル３０においては第２走査線駆動回路８５を実装する。その後、駆動回路が実装された第１液晶パネル２０及び第２液晶パネル３０に第２配線基板４０及び第１配線基板７０を接続する。
【００４６】
次に、走査線に供給される電圧レベルの調整を液晶パネル毎に行う。図６において、電圧レベル調整にかかわる動作については点線の矢印で図示している。第１液晶パネル２０の電圧レベル調整では、図７に示すように、第１液晶パネル２０の第１基板２２側にバックライトの代わりとなる冷陰極管１０１を配置し、ＣＣＤカメラ１００を第１液晶パネル２０の第２基板２１側、すなわち液晶装置１０としたときの表示面となる側に配置する。電圧レベル調整は、冷陰極管１０１から第１液晶パネル２０に対して光が照射された状態で行われる。ＣＣＤカメラ１００は、冷陰極管１０１により照射された光のうち第１液晶パネル２０により変調された光、すなわち表示コントラストの濃度を検出するものである。この電圧レベル調整工程では、第１液晶パネル２０の駆動電圧を変えて駆動させて表示コントラストを測定する。具体的には走査線２３に供給する電圧の電圧レベルを除々に変化させてその表示コントラストを測定する。この時の駆動電圧の大きさの調整は、コントローラ８３から信号線駆動回路８１を介してコマンドで第１電源回路８２に対して指示される。その後、表示コントラストが所定のコントラストとなったときの電圧レベルが検出され、この電圧レベルが第１電源回路８２のＥＥＰＲＯＭ８２ａに書き込まれる。これにより液晶装置１０の起動時には、ＥＥＰＲＯＭ８２ａに書き込まれた電圧レベルの電圧が第１電源回路８２から出力され、第１液晶パネル２０は駆動される。このように第１電源回路８２は出力される電圧の値を可変可能に設計されており、ＥＥＰＲＯＭ８２ａに書き込まれる電圧レベルに従って第１電源回路８２からの出力電圧が設定される。尚、ここでは液晶装置１０を市場に出荷する前の第１電源回路８２の出力電圧の電圧レベル調整を行う場合について説明しているが、液晶装置１０を出荷した後、ユーザが電圧レベル調整を行うことも可能である。
【００４７】
一方、第２液晶パネル３０の電圧レベル調整では、図８に示すように、第２液晶パネル３０の第３基板３０側にバックライトの代わりとなる冷陰極管１０１を配置し、ＣＣＤカメラ１００を第２液晶パネル３０の第４基板３２側、すなわち液晶装置１０としたときの表示面となる側に配置する。電圧レベル調整は、冷陰極管１０１から第２液晶パネル３０に対して光が照射された状態で行われる。ＣＣＤカメラ１００は、冷陰極管１０１により照射された光のうち第２液晶パネル３０により変調された光、すなわち表示コントラストの濃度を検出するものである。この電圧レベル調整工程では、第２液晶パネル３０の駆動電圧を変えて駆動させて表示コントラストを測定する。具体的には走査線３３に供給する電圧レベルを除々に変化させてその表示コントラストを測定する。この時の駆動電圧の大きさの調整は、コントローラ８３から信号線駆動回路８１を介してコマンドで第２電源回路８５に対して指示される。その後、表示コントラストが所定のコントラストとなったときの電圧レベルが検出され、この電圧レベルが第２電源回路８５のＥＥＰＲＯＭ８５ａに書き込まれる。これにより液晶装置１０の起動時には、ＥＥＰＲＯＭ８５ａに書き込まれた電圧レベルの電圧が第２電源回路８５から出力され、第２液晶パネル３０は駆動される。このように第２電源回路８５は出力される電圧の値を可変可能に設計されており、ＥＥＰＲＯＭ８５ａに書き込まれる電圧レベルに従って第２電源回路８５からの出力電圧が設定される。尚、ここでは液晶装置１０を市場に出荷する前の第２電源回路８５の出力電圧の電圧レベル調整を行う場合について説明しているが、液晶装置１０を出荷した後、ユーザが電圧レベル調整を行うことも可能である。
【００４８】
電圧レベル調整後、第１配線基板７０及び第２配線基板４０により接続された第１液晶パネル２０及び第２液晶パネル３０を、バックライト７とともに筐体に組み込んで液晶装置１０を得る。
【００４９】
以上のように、本実施形態では、異なる複数の液晶パネルを駆動するための信号線駆動回路を共有しているので、液晶パネル毎に別々に信号線駆動回路を設ける場合と比較して、コストを削減することができる。特に、信号線駆動回路は走査線駆動回路よりも高価なためコスト削減率が高い。
【００５０】
また、本実施形態では、各液晶パネル毎に走査線駆動回路及び電源回路を設けているため各液晶パネル毎に電圧レベル調整を行うことができる。例えば同じ透過型液晶パネルでも液晶パネル毎に表示に最適な電圧レベルが異なってくるため、各液晶パネル毎に電圧レベルを調整可能な構成とすることによって、いずれの表示面も表示品位が高い複数表示面を有する液晶装置を得ることができる。特に、本実施形態においては、第１液晶パネル２０は透過型液晶パネル、第２液晶パネル３０は半透過半反射型液晶パネルであるので、電圧レベル調整時の予め設定された所定のコントラストの値が大幅に異なるため、各液晶パネルの電圧レベル調整が容易となる。例えば、透過型である第１液晶パネル２０は透過率が１００％の時の表示コントラストはおよそ１０００であるのに対し、半透過半反射型である第２液晶パネル３０の透過表示時における透過率が１００％の時の表示コントラストはおよそ３００である。このため、本実施形態に示すように、各液晶パネル毎に電源回路を設け各液晶パネル毎に電圧レベル調整を行う構成とすることにより、組み合わせる液晶パネルの種類や最適電圧レベルの違いに影響されることなく個々の液晶パネルの電圧レベル調整を容易に行うことができ、また各液晶パネル毎に最適な電圧レベルを設定することができるので各液晶パネルの表示品位を高くすることができる。
【００５１】
また、本実施形態において、各液晶パネル毎に電源回路を設けているため、メインディスプレイとなる第１液晶パネル２０を表示しているときには、サブディスプレイとなる第２液晶パネル３０の第２電源回路８５の動作を停止し、さらに、第２液晶パネル３０を表示しているときには、第１液晶パネル２０に走査信号を供給しないように第１走査線駆動回路の動作を停止するように回路を構成でき、これにより、消費電力をさらに低減できる。
【００５２】
上述の実施形態では、透過型の液晶パネルと半透過半反射型の液晶パネルとを組み合わせた液晶装置について説明したが、これに限定されるものでなく、両方が透過型液晶パネルあるいは両方が半透過半反射型の液晶パネルの液晶装置にも適用できる。すなわち、同じ型の液晶パネルであっても、最適な電圧レベルは異なるため、各液晶パネル毎に電源回路を設け、各液晶パネル毎に電圧レベル調整することにより表示品位の高い液晶装置を得ることができる。
【００５３】
また、上述の実施形態では、ＴＦＤ素子を用いたアクティブマトリクス型の液晶パネルを例にあげて説明したが、ＴＦＴ素子といった他のスイッチング素子を用いた液晶パネルや単純マトリクス型の液晶パネルを用いた場合にも適用できる。
【００５４】
また、上述の実施形態の液晶装置１０では、メインディスプレイとサブディスプレイとが電子機器に組み込まれた状態で互いに対向する面に位置するものと考えた。しかしながら、メインディスプレイとサブディスプレイとの位置関係はこれ以外に種々考えられ、例えば、メインディスプレイとサブディスプレイとを同じ面に位置させることもでき、あるいは、メインディスプレイが位置する面から見た側面にサブディスプレイが位置するといった構造とすることもできる。
【００５５】
また、上述の実施形態では、１つの液晶装置に２つの液晶パネルを設ける場合を例示したが、液晶パネルは１つの液晶装置に対して３つ以上設けることもできる。
【００５６】
また、上記実施形態では、電気光学装置として液晶装置を例示したが、本発明を適用可能な電気光学装置としては、例えば、有機エレクトロルミネッセンス装置、無機エレクトロルミネッセンス装置、プラズマディスプレイ装置、電気泳動ディスプレイ装置（ＥＰＤ：Ｅｌｅｃｔｒｏｐｈｏｒｅｔｉｃ  Ｄｉｓｐｌａｙ）、フィールドエミッションディスプレイ装置（ＦＥＤ：Ｆｉｅｌｄ  Ｅｍｉｓｓｉｏｎ  Ｄｉｓｐｌａｙ：電界放出表示装置）等が考えられる。
【００５７】
また、上記実施形態では、電子機器として携帯電話機を例示したが、複数表示面を有する電子機器に適用可能である。例えば、本発明を適用可能な電子機器としては、パーソナルコンピュータ、デジタルスチルカメラ、腕時計型電子機器、ＰＤＡ（Ｐｅｒｓｏｎａｌ  Ｄｉｇｉｔａｌ  Ａｓｓｉｓｔａｎｔ）、テレビ、ビューファインダ型のビデオテープレコーダ、モニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【図１】電子機器の一実施形態である携帯電話機の斜視図である。
【図２】図１に示す携帯電話機の部分分解斜視図である。
【図３】図１に示す携帯電話機に搭載される液晶装置の概略斜視図である。
【図４】図３の線Ａ−Ａ´で切断した断面図である。
【図５】図３の液晶装置の等価回路図である。
【図６】図３の液晶装置の動作及び電圧レベル調整時の動作を示す図である。
【図７】第１液晶パネルの電圧レベル調整の様子を示す概略斜視図である。
【図８】第２液晶パネルの電圧レベル調整の様子を示す概略斜視図である。
【符号の説明】
１０・・・液晶装置、１０ａ、１０ｂ・・・表示面、２０・・・第１液晶パネル、２３、３３・・・走査線、２４、３４・・・信号線、３０・・・第２液晶パネル、４０・・・第２配線基板、５０・・・携帯電話機、７０・・・第１配線基板、８０・・・第１走査線駆動回路、８１・・・信号線駆動回路、８２・・・第１電源回路、８３・・・コントローラ、８４・・・第２走査線駆動回路、８５・・・第２電源回路、１００・・・ＣＣＤカメラ
【図１】
2004264516.tif 000003
【図２】
2004264516.tif 000004
【図３】
2004264516.tif 000005
【図４】
2004264516.tif 000006
【図５】
2004264516.tif 000007
【図６】
2004264516.tif 000008
【図７】
2004264516.tif 000009
【図８】
2004264516.tif 000010